(57)【要約】      （修正有）【課題】吸込口を通過する空気を分離筒によって分離筒の径方向外側と径方向内側とに分離して流す遠心式送風機において、分離筒の径方向外側を流れる外側空気が吸込口へ吸い込まれる際の圧損を減らす。【解決手段】面積比Ｓ１／Ｓ２について、「Ｓ１／Ｓ２≧０．５」という関係が成立する。但し、そのＳ１は、重複空間２０１ｄと非重複空間２０１ｅとの境目２０１ｆを径第１方向ＤＲ１に投影した第１面積であり、Ｓ２は、吸込口１４ａの外側重複部分をファン軸方向ＤＲａに投影した第２面積である。従って、上記外側空気が非重複空間２０１ｅから重複空間２０１ｄを経て吸込口１４ａのうちの外側重複部分へ流入する空気流通経路において、外側重複部分が有する流路断面積に比して上記境目２０１ｆが有する流路断面積が極端に小さくはならない。そのため、外側空気が吸込口１４ａへ吸い込まれる際の圧損を減らすことが可能である。【選択図】図１
2020109286.tif 000002
【特許請求の範囲】
【請求項１】
遠心式送風機であって、
ファン軸心（ＣＬ）まわりに配置された複数のブレード（１２１）を有し、前記ファン軸心まわりに回転することにより、前記ファン軸心の軸方向（ＤＲａ）の一方側から吸入した空気を径方向（ＤＲｒ）の外側に向けて吹き出す遠心ファン（１２）と、
前記遠心ファンを収容し、前記遠心ファンに対し前記軸方向の前記一方側に配置され前記遠心ファンへ吸い込まれる空気が通過する吸込口（１４ａ）が形成されたファンケーシング（１４）と、
前記複数のブレードに対して前記遠心ファンの前記径方向の内側に配置され、前記吸込口内を通って前記軸方向に延伸した筒状を成す分離筒（１８）と、
前記吸込口に対し空気流れ上流側に設けられ、該吸込口へ向かう空気が流通する上流側空間（２０１ａ）が形成された上流側空間形成部（２０１）とを備え、
前記分離筒は、前記吸込口を通過して前記ブレードの相互間へ向かう空気を、前記径方向において前記分離筒の内側を流れる内側空気と前記径方向において前記分離筒の外側を流れる外側空気とに分離しながら前記ブレードの相互間へと案内し、
前記上流側空間形成部は、前記内側空気が流通する内側接続空間（２０１ｃ）と前記外側空気が流通する外側接続空間（２０１ｂ）とに前記上流側空間を分割する空間分割部（２０２）を有し、
前記内側接続空間は、前記上流側空間のうち、前記径方向のうちの１つの方向である一径方向（ＤＲ１）において一方側に偏って配置され、
前記外側接続空間は、前記空間分割部に対し前記軸方向の前記一方側とは反対側の他方側に重なる重複空間（２０１ｄ）と、前記外側接続空間のうち前記重複空間を除いた空間であって前記内側接続空間と前記重複空間とに対し前記一径方向における前記一方側とは反対側の他方側に配置された非重複空間（２０１ｅ）とを有し、
前記吸込口は、該吸込口のうち前記空間分割部に対し前記軸方向の前記他方側に重なり且つ前記径方向において前記分離筒の外側に位置する外側重複部分（１４ｂ）と、前記径方向において前記分離筒の外側に位置する部分から前記外側重複部分を除いた外側非重複部分（１４ｃ）とを有し、
前記非重複空間は、前記外側非重複部分に接続し、且つ、前記外側重複部分に前記重複空間を介して接続しており、
前記重複空間と前記非重複空間との境目（２０１ｆ）を前記一径方向に投影した第１面積をＳ１とし、且つ、前記吸込口の前記外側重複部分を前記軸方向に投影した第２面積をＳ２とした場合に、「Ｓ１／Ｓ２≧０．５」という関係が成立する、遠心式送風機。
【請求項２】
前記境目を前記一径方向に投影した投影形状において、前記境目のうち前記吸込口に接続する接続部分（２０１ｇ）が前記一径方向と前記軸方向とに直交する直交方向（ＤＲ２）に占める接続幅（Ｌ１）は、前記投影形状が前記直交方向に占める幅（Ｌ３）から前記接続幅を差し引いた非接続幅（Ｌ２）よりも小さい、請求項１に記載の遠心式送風機。
【請求項３】
遠心式送風機であって、
ファン軸心（ＣＬ）まわりに配置された複数のブレード（１２１）を有し、前記ファン軸心まわりに回転することにより、前記ファン軸心の軸方向（ＤＲａ）の一方側から吸入した空気を径方向（ＤＲｒ）の外側に向けて吹き出す遠心ファン（１２）と、
前記遠心ファンを収容し、前記遠心ファンに対し前記軸方向の前記一方側に配置され前記遠心ファンへ吸い込まれる空気が通過する吸込口（１４ａ）が形成されたファンケーシング（１４）と、
前記複数のブレードに対して前記遠心ファンの前記径方向の内側に配置され、前記吸込口内を通って前記軸方向に延伸した筒状を成す分離筒（１８）と、
前記吸込口に対し空気流れ上流側に設けられ、該吸込口へ向かう空気が流通する上流側空間（２０１ａ）が形成された上流側空間形成部（２０１）とを備え、
前記分離筒は、前記吸込口を通過して前記ブレードの相互間へ向かう空気を、前記径方向において前記分離筒の内側を流れる内側空気と前記径方向において前記分離筒の外側を流れる外側空気とに分離しながら前記ブレードの相互間へと案内し、
前記上流側空間形成部は、前記内側空気が流通する内側接続空間（２０１ｃ）と前記外側空気が流通する外側接続空間（２０１ｂ）とに前記上流側空間を分割する空間分割部（２０２）を有し、
前記内側接続空間は、前記上流側空間のうち、前記径方向のうちの１つの方向である一径方向（ＤＲ１）において一方側に偏って配置され、
前記外側接続空間は、前記空間分割部に対し前記軸方向の前記一方側とは反対側の他方側に重なる重複空間（２０１ｄ）と、前記外側接続空間のうち前記重複空間を除いた空間であって前記内側接続空間と前記重複空間とに対し前記一径方向における前記一方側とは反対側の他方側に配置された非重複空間（２０１ｅ）とを有し、
前記吸込口は、該吸込口のうち前記空間分割部に対し前記軸方向の前記他方側に重なり且つ前記径方向において前記分離筒の外側に位置する外側重複部分（１４ｂ）と、前記径方向において前記分離筒の外側に位置する部分から前記外側重複部分を除いた外側非重複部分（１４ｃ）とを有し、
前記非重複空間は、前記外側非重複部分に接続し、且つ、前記外側重複部分に前記重複空間を介して接続しており、
前記重複空間と前記非重複空間との境目（２０１ｆ）を前記一径方向に投影した投影形状において、前記境目のうち前記吸込口に接続する接続部分（２０１ｇ）が前記一径方向と前記軸方向とに直交する直交方向（ＤＲ２）に占める接続幅（Ｌ１）は、前記投影形状が前記直交方向に占める幅（Ｌ３）から前記接続幅を差し引いた非接続幅（Ｌ２）よりも小さい、遠心式送風機。
【請求項４】
前記第２面積をＳ２とし、且つ、前記吸込口の前記外側非重複部分を前記軸方向に投影した第３面積をＳ３とした場合に、「Ｓ３＞Ｓ２」という関係が成立する、請求項１または２に記載の遠心式送風機。
【請求項５】
前記吸込口の前記外側重複部分を前記軸方向に投影した第２面積をＳ２とし、且つ、前記吸込口の前記外側非重複部分を前記軸方向に投影した第３面積をＳ３とした場合に、「Ｓ３＞Ｓ２」という関係が成立する、請求項３に記載の遠心式送風機。
【請求項６】
前記上流側空間に対する空気流れ上流側に配置され、前記非重複空間と前記内側接続空間とに前記軸方向の前記一方側から面するフィルタ下流面（２２１）を有するフィルタ（２２）を備え、
前記空間分割部は、前記内側接続空間に対し前記軸方向の前記一方側を向いて面する分割部一方面（２０２ｄ）と、前記重複空間に対し前記軸方向の前記他方側を向いて面する分割部他方面（２０２ｅ）とを有し、
前記ファンケーシングは、前記吸込口を取り囲み該吸込口を内側に形成する吸込口周縁部（１４１）を有し、
前記吸込口周縁部は、前記軸方向の前記他方側に他方端（１４１ａ）を有し、
前記軸方向における前記吸込口周縁部の前記他方端から前記分割部他方面までの距離（Ｈ２）は、前記軸方向における前記フィルタ下流面から前記分割部一方面までの距離（Ｈ１）よりも大きい、請求項１ないし５のいずれか１つに記載の遠心式送風機。
【請求項７】
前記分離筒のうち前記吸込口を横切る部位（１８３）にて該分離筒を前記ファン軸心に直交する仮想平面で切断した断面形状は、円形状と比較して前記一径方向に延びた形状を成している、請求項１ないし６のいずれか１つに記載の遠心式送風機。
【発明の詳細な説明】
【技術分野】
【０００１】
本発明は、遠心式送風機に関するものである。
【背景技術】
【０００２】
特許文献１には、内外気二層流式の車両用空調装置に適用される遠心式送風機が記載されている。この遠心式送風機は、２つの空気流れを区分して軸方向の片方から同時に吸入することができる。この遠心式送風機は、複数のブレードを有しファン軸心を中心に回転する遠心ファンと、その複数のブレードに対して遠心ファンの径方向の内側に配置された分離筒とを備えている。
【０００３】
また、遠心式送風機は、遠心ファンを収容するスクロールケーシングを有し、そのスクロールケーシングには、遠心ファンへ吸い込まれる空気が通過する吸込口が形成されている。分離筒は、その吸込口を通過する空気を、分離筒の径方向外側を流れる外側空気と、分離筒の径方向内側を流れる内側空気とに分離して流す。
【先行技術文献】
【特許文献】
【０００４】
【特許文献１】特開２０１８−３５７９１号公報
【発明の概要】
【発明が解決しようとする課題】
【０００５】
特許文献１の遠心式送風機では、外側空気は吸込口のうち分離筒の径方向外側部分を通って遠心ファンへ吸い込まれ、その吸込口のうちの径方向外側部分は、分離筒周りの全周にわたって形成されている。そのため、その吸込口よりも空気流れ上流側において、外側空気のうちの一部の空気は、吸込口へ向かう内側空気が流通する空間と吸込口との間に介在する介在空間へ回り込むように流れ、その介在空間から吸込口に流れ込むことになる。
【０００６】
しかしながら、このように外側空気のうちの一部の空気が介在空間へ回り込むように流れてから吸込口に流れ込む流通経路をたどる場合に、その流通経路で如何に空気を流れ易くするかについては、特許文献１に記載されていなかった。発明者の詳細な検討の結果、以上のようなことが見出された。
【０００７】
本発明は上記点に鑑みて、吸込口を通過する空気を分離筒によって分離筒の径方向外側と径方向内側とに分離して流す遠心式送風機において、分離筒の径方向外側を流れる外側空気が吸込口へ吸い込まれる際の圧損を減らすことを目的とする。
【課題を解決するための手段】
【０００８】
上記目的を達成するため、請求項１に記載の遠心式送風機は、
ファン軸心（ＣＬ）まわりに配置された複数のブレード（１２１）を有し、ファン軸心まわりに回転することにより、ファン軸心の軸方向（ＤＲａ）の一方側から吸入した空気を径方向（ＤＲｒ）の外側に向けて吹き出す遠心ファン（１２）と、
遠心ファンを収容し、遠心ファンに対し軸方向の一方側に配置され遠心ファンへ吸い込まれる空気が通過する吸込口（１４ａ）が形成されたファンケーシング（１４）と、
複数のブレードに対して遠心ファンの径方向の内側に配置され、吸込口内を通って軸方向に延伸した筒状を成す分離筒（１８）と、
吸込口に対し空気流れ上流側に設けられ、その吸込口へ向かう空気が流通する上流側空間（２０１ａ）が形成された上流側空間形成部（２０１）とを備え、
分離筒は、吸込口を通過してブレードの相互間へ向かう空気を、径方向において分離筒の内側を流れる内側空気と径方向において分離筒の外側を流れる外側空気とに分離しながらブレードの相互間へと案内し、
上流側空間形成部は、内側空気が流通する内側接続空間（２０１ｃ）と外側空気が流通する外側接続空間（２０１ｂ）とに上流側空間を分割する空間分割部（２０２）を有し、
内側接続空間は、上流側空間のうち、径方向のうちの１つの方向である一径方向（ＤＲ１）において一方側に偏って配置され、
外側接続空間は、空間分割部に対し軸方向の一方側とは反対側の他方側に重なる重複空間（２０１ｄ）と、外側接続空間のうち重複空間を除いた空間であって内側接続空間と重複空間とに対し一径方向における一方側とは反対側の他方側に配置された非重複空間（２０１ｅ）とを有し、
吸込口は、その吸込口のうち空間分割部に対し軸方向の他方側に重なり且つ径方向において分離筒の外側に位置する外側重複部分（１４ｂ）と、径方向において分離筒の外側に位置する部分から外側重複部分を除いた外側非重複部分（１４ｃ）とを有し、
非重複空間は、外側非重複部分に接続し、且つ、外側重複部分に重複空間を介して接続しており、
重複空間と非重複空間との境目（２０１ｆ）を一径方向に投影した第１面積をＳ１とし、且つ、吸込口の外側重複部分を軸方向に投影した第２面積をＳ２とした場合に、「Ｓ１／Ｓ２≧０．５」という関係が成立する。
【０００９】
このようにすれば、外側空気が非重複空間から重複空間を経て吸込口のうちの外側重複部分へ流入する空気流通経路において、外側重複部分が有する流路断面積に比して上記境目が有する流路断面積が極端に小さくはならない。すなわち、外側空気が非重複空間から重複空間を経て吸込口のうちの外側重複部分へ流入する際に、その外側空気の空気流れが上記境目であまり絞られなくなる。そのため、非重複空間から重複空間に流入する外側空気は、重複空間のうち非重複空間から離れた部位にまで満遍なく行き渡り易くなり、外側空気を吸い込む役割を外側重複部分に適切に発揮させることができる。その結果として、外側空気が吸込口へ吸い込まれる際の圧損を減らし、その外側空気を円滑に流すことが可能である。
【００１０】
また、請求項３に記載の遠心式送風機は、
ファン軸心（ＣＬ）まわりに配置された複数のブレード（１２１）を有し、ファン軸心まわりに回転することにより、ファン軸心の軸方向（ＤＲａ）の一方側から吸入した空気を径方向（ＤＲｒ）の外側に向けて吹き出す遠心ファン（１２）と、
遠心ファンを収容し、遠心ファンに対し軸方向の一方側に配置され遠心ファンへ吸い込まれる空気が通過する吸込口（１４ａ）が形成されたファンケーシング（１４）と、
複数のブレードに対して遠心ファンの径方向の内側に配置され、吸込口内を通って軸方向に延伸した筒状を成す分離筒（１８）と、
吸込口に対し空気流れ上流側に設けられ、その吸込口へ向かう空気が流通する上流側空間（２０１ａ）が形成された上流側空間形成部（２０１）とを備え、
分離筒は、吸込口を通過してブレードの相互間へ向かう空気を、径方向において分離筒の内側を流れる内側空気と径方向において分離筒の外側を流れる外側空気とに分離しながらブレードの相互間へと案内し、
上流側空間形成部は、内側空気が流通する内側接続空間（２０１ｃ）と外側空気が流通する外側接続空間（２０１ｂ）とに上流側空間を分割する空間分割部（２０２）を有し、
内側接続空間は、上流側空間のうち、径方向のうちの１つの方向である一径方向（ＤＲ１）において一方側に偏って配置され、
外側接続空間は、空間分割部に対し軸方向の一方側とは反対側の他方側に重なる重複空間（２０１ｄ）と、外側接続空間のうち重複空間を除いた空間であって内側接続空間と重複空間とに対し一径方向における一方側とは反対側の他方側に配置された非重複空間（２０１ｅ）とを有し、
吸込口は、その吸込口のうち空間分割部に対し軸方向の他方側に重なり且つ径方向において分離筒の外側に位置する外側重複部分（１４ｂ）と、径方向において分離筒の外側に位置する部分から外側重複部分を除いた外側非重複部分（１４ｃ）とを有し、
非重複空間は、外側非重複部分に接続し、且つ、外側重複部分に重複空間を介して接続しており、
重複空間と非重複空間との境目（２０１ｆ）を一径方向に投影した投影形状において、上記境目のうち吸込口に接続する接続部分（２０１ｇ）が一径方向と軸方向とに直交する直交方向（ＤＲ２）に占める接続幅（Ｌ１）は、投影形状が直交方向に占める幅（Ｌ３）から接続幅を差し引いた非接続幅（Ｌ２）よりも小さい。
【００１１】
ここで、上記境目のうち上記直交方向に接続幅を有する領域を通過して非重複空間から重複空間へ流れる外側空気は、上記境目から重複空間に入ると直ちに吸込口へ吸い込まれる。その一方で、上記境目のうち上記直交方向に非接続幅を有する領域を通過して非重複空間から重複空間へ流れる外側空気は、重複空間のうち非重複空間から離れた部位にまで行き渡りやすい。
【００１２】
従って、接続幅と非接続幅との大小関係を上記のようにすることで、吸込口のうちの外側重複部分に吸い込まれる外側空気が外側非重複部分側へ偏ることを緩和することができる。その結果として、外側空気が吸込口へ吸い込まれる際の圧損を減らし、その外側空気を円滑に流すことが可能である。
【００１３】
なお、各構成要素等に付された括弧付きの参照符号は、その構成要素等と後述する実施形態に記載の具体的な構成要素等との対応関係の一例を示すものである。
【図面の簡単な説明】
【００１４】
【図１】第１実施形態における遠心式送風機の概略構成を示した図であって、遠心式送風機のファン軸心を含む平面で遠心式送風機を切断した断面図である。
【図２】図１のII−II断面を示した断面図である。
【図３】図２のIII部分を拡大して表示した部分拡大図である。
【図４】図１のIV−IV断面を示した断面図である。
【図５】第１実施形態において、遠心式送風機の送風実験の実験結果として得られた面積比Ｓ１／Ｓ２と筒外側圧損との関係を示すグラフである。
【図６】第２実施形態において、図１のIV−IV断面を示した断面図であって、図４に相当する図である。
【図７】第３実施形態において、図２のIII部分を拡大して表示した部分拡大図であって、図３に相当する図である。
【図８】第４実施形態において、図１のIV−IV断面を示した断面図であって、図４に相当する図である。
【発明を実施するための形態】
【００１５】
以下、図面を参照しながら、各実施形態を説明する。なお、以下の各実施形態相互において、互いに同一もしくは均等である部分には、図中、同一符号を付してある。
【００１６】
（第１実施形態）
図１に示す本実施形態の遠心式送風機１０は、内外気二層流式の車両用空調装置に適用される。この車両用空調装置は、車室内空気（すなわち、内気）と車室外空気（すなわち、外気）とを区分して同時に吸入することができる。以下の説明では、遠心式送風機１０を単に送風機１０と呼ぶ。
【００１７】
図１および図２に示すように、送風機１０は、遠心ファン１２と、ファンケーシング１４と、モータ１６と、分離筒１８と、上流側ケーシング２０と、フィルタ２２と、内外気ドア２４とを備えている。遠心ファン１２は、ファン軸心ＣＬまわりに回転する。そして、遠心ファン１２は、ファン軸心ＣＬまわりに回転することにより、ファン軸心ＣＬの軸方向ＤＲａの一方側から吸入した空気を遠心ファン１２の径方向ＤＲｒの外側に向けて吹き出す。
【００１８】
図１と図２は、ファン軸心ＣＬを含む平面で遠心ファン１２とファンケーシング１４と分離筒１８と上流側ケーシング２０とを切断した縦断面、要するにファン軸心ＣＬを含む平面で送風機１０を切断した縦断面を示している。
【００１９】
なお、本実施形態では、ファン軸心ＣＬの軸方向ＤＲａすなわち遠心ファン１２の軸方向ＤＲａをファン軸方向ＤＲａと呼ぶ。また、ファン軸心ＣＬの径方向ＤＲｒすなわち遠心ファン１２の径方向ＤＲｒをファン径方向ＤＲｒと呼ぶ。ファン径方向ＤＲｒは、ファン軸方向ＤＲａに対して垂直な方向である。
【００２０】
遠心ファン１２は、複数のブレード１２１と、主板１２２と、分離板１２３とを有している。複数のブレード１２１は、ファン軸心ＣＬまわりに並んで配置されている。複数のブレード１２１のそれぞれは、ファン軸方向ＤＲａの一方側の端である一方端１２１ａと、ファン軸方向ＤＲａの他方側の端である他方端１２１ｂとを有している。
【００２１】
主板１２２は、ファン径方向ＤＲｒへ拡がる板状を成している。要するに、主板１２２は、ファン軸心ＣＬを中心とした円盤状である。主板１２２は、分離筒１８に対しファン軸方向ＤＲａの他方側に配置されている。主板１２２の中心部には、モータ１６の回転軸１６１が相対回転不能に連結されている。主板１２２のうちファン径方向ＤＲｒの外側の部分には、複数のブレード１２１の他方端１２１ｂが固定されている。
【００２２】
また、主板１２２は、ファン軸方向ＤＲａの一方側に、主板案内面１２２ａを有している。この主板案内面１２２ａは、ファン軸方向ＤＲａの一方側を向いてファン径方向ＤＲｒに拡がっている。
【００２３】
分離板１２３は、複数のブレード１２１の相互間に流れる空気を、分離板１２３に対するファン軸方向ＤＲａの一方側を流れる空気と、分離板１２３に対するファン軸方向ＤＲａの他方側を流れる空気とに分離する。
【００２４】
具体的に、分離板１２３は、複数のブレード１２１のそれぞれと交差し且つファン軸心ＣＬを中心として環状に延びている。そして、分離板１２３は、ファン径方向ＤＲｒに拡がる板状を成している。例えば、分離板１２３は、ファン軸方向ＤＲａを法線方向とした平板状を成している。
【００２５】
複数のブレード１２１のそれぞれと分離板１２３とは、ブレード１２１と分離板１２３とが交差している部分で、互いに固定されている。本実施形態では、複数のブレード１２１、主板１２２、および分離板１２３は、一体に樹脂成形された一体成形品として構成されている。
【００２６】
この分離板１２３によって、複数のブレード１２１はそれぞれ、ファン軸方向ＤＲａに並んだ２つの部分１２１ｃ、１２１ｄに分けられている。すなわち、ブレード１２１はそれぞれ、分離板１２３に対するファン軸方向ＤＲａの一方側に設けられたブレード一方側部分１２１ｃと、分離板１２３に対するファン軸方向ＤＲａの他方側に設けられたブレード他方側部分１２１ｄとを有している。
【００２７】
本実施形態では、ブレード一方側部分１２１ｃの翼型、および、ブレード他方側部分１２１ｄの翼型は何れも、シロッコファンの翼型である。
【００２８】
ファンケーシング１４と上流側ケーシング２０は、送風機１０の外殻を構成する筐体として機能する。ファンケーシング１４は、ファンケーシング１４の内部に遠心ファン１２を収容している。図１および図３に示すように、ファンケーシング１４には、遠心ファン１２へ吸い込まれる空気が通過する吸込口１４ａが形成されている。この吸込口１４ａは、遠心ファン１２に対しファン軸方向ＤＲａの一方側に配置されている。吸込口１４ａは、例えばファン軸心ＣＬを中心とした円形状の開口である。
【００２９】
そして、ファンケーシング１４は、吸込口１４ａまわりに、吸込口周縁部としてのベルマウス１４１を有している。このベルマウス１４１は吸込口１４ａを取り囲み、その吸込口１４ａをベルマウス１４１の内側に形成している。
【００３０】
送風機１０の縦断面において、そのベルマウス１４１の断面形状は、吸込口１４ａに空気が円滑に流れ込むように、円弧状となっている。また、ベルマウス１４１は、ファン軸方向ＤＲａの他方側に他方端１４１ａを有している。
【００３１】
また、ファンケーシング１４は、空気通路形成部１４２と仕切板１４３とを有している。この空気通路形成部１４２には、遠心ファン１２に対するファン径方向ＤＲｒの外側に設けられた吹出空気通路１４２ａが形成されている。この吹出空気通路１４２ａには、遠心ファン１２から吹き出された空気が集まって流れる。例えば、この吹出空気通路１４２ａは、遠心ファン１２のまわりに渦巻き状に形成されている。そして、ファンケーシング１４はスクロールケーシングとも呼ばれる。
【００３２】
仕切板１４３は、吹出空気通路１４２ａの内部に設けられている。すなわち、仕切板１４３は、遠心ファン１２に対しファン径方向ＤＲｒの外側に配置されている。仕切板１４３は、仕切板１４３に対するファン軸方向ＤＲａの一方側に配置された第１空気通路１４２ｂと、仕切板１４３に対するファン軸方向ＤＲａの他方側に配置された第２空気通路１４２ｃとに、吹出空気通路１４２ａを仕切っている。
【００３３】
仕切板１４３は、ファン軸方向ＤＲａを法線方向としてファン径方向ＤＲｒに延伸する平板である。仕切板１４３は、その仕切板１４３の径方向外側端にて空気通路形成部１４２に接続している。また、ファン軸方向ＤＲａにおいては、仕切板１４３は、その仕切板１４３の位置と分離板１２３の位置とが互いに揃うように配置されている。本実施形態では、空気通路形成部１４２と仕切板１４３とは、一体に樹脂成形された一体成形品として構成されている。仕切板１４３の板厚、分離板１２３の板厚、および分離筒１８の板厚は、例えば同じまたは略同じになっている。
【００３４】
モータ１６は、遠心ファン１２を回転させる電動式の駆動装置である。モータ１６は、回転軸１６１と、本体部１６２とを有している。回転軸１６１は、本体部１６２からファン軸方向ＤＲａの一方側に向かって延伸している。回転軸１６１が回転することで、遠心ファン１２が回転する。本体部１６２は、ファンケーシング１４に固定されている。この本体部１６２とファンケーシング１４と分離筒１８と上流側ケーシング２０は、回転しない非回転部材である。
【００３５】
分離筒１８は、ベルマウス１４１と遠心ファン１２の複数のブレード１２１とに対してファン径方向ＤＲｒの内側に配置されている。そして、分離筒１８は、吸込口１４ａ内（すなわち、ベルマウス１４１に対する径方向内側）を通ってファン軸方向ＤＲａに延伸した筒状を成している。例えば、分離筒１８は、ファン軸心ＣＬに直交する仮想平面で切断した断面形状が吸込口１４ａに対するファン軸方向ＤＲａの他方側では円形状を成す筒状となっている。分離筒１８は、その分離筒１８の一部が吸込口１４ａを通ってファンケーシング１４内へ挿入された配置となっている。分離筒１８は、例えば上流側ケーシング２０のうちの空間分割部２０２に固定されている。
【００３６】
このような形状および配置により、分離筒１８は、吸込口１４ａを通過して遠心ファン１２に向かう空気流れを２つの空気流れに分離する。詳細に言うと、分離筒１８は、吸込口１４ａを通過して遠心ファン１２のブレード１２１の相互間へ向かうファン吸込空気を、内側空気と外側空気とに分離しながらブレード１２１の相互間へと案内する。その内側空気とは、ファン吸込空気のうち、ファン径方向ＤＲｒにおいて分離筒１８の内側を流れる空気である。また、外側空気とは、ファン吸込空気のうち、ファン径方向ＤＲｒにおいて分離筒１８の外側を流れる空気である。図１では、その外側空気の流れが矢印Ｆｏで表され、その内側空気の流れが矢印Ｆｉで表されている。
【００３７】
また、分離筒１８はその内側空気と外側空気とをブレード１２１の相互間へ導くために、ファン軸方向ＤＲａの他方側ほどファン径方向ＤＲｒへ拡がった形状を成している。すなわち、分離筒１８のうちファン軸方向ＤＲａの他方側では、ファン軸方向ＤＲａの一方側から他方側の端へ向かうにつれて分離筒１８の直径が拡大している。例えば、分離筒１８は、分離筒１８のうちファン軸方向ＤＲａの他方側の端の位置では、ファン軸方向ＤＲａに対し斜めファン径方向ＤＲｒの外側を向いて拡がった形状を成している。
【００３８】
また、ファン軸方向ＤＲａにおいて、分離筒１８の他方側の端の位置は、分離板１２３の径方向内側端の位置に揃えられている。そして、そのファン軸方向ＤＲａにおける分離筒１８の他方側の端は、遠心ファン１２の複数のブレード１２１に対し接触しない範囲で近接して配置されている。
【００３９】
分離筒１８は、上述したように筒形状であるので、その筒形状の外側壁面として構成された分離筒外側面１８１と、その筒形状の内側壁面として構成された分離筒内側面１８２とを有している。
【００４０】
主板案内面１２２ａは、矢印Ｆｉで示すように、複数のブレード１２１に対する空気流れ上流側で内側空気がファン径方向ＤＲｒの外側に向けて流れるように内側空気を案内する。
【００４１】
図１に示すように、遠心ファン１２の分離板１２３は、矢印Ｆｏで示される外側空気の流れと、矢印Ｆｉで示される内側空気の流れとを、分離筒１８に対する空気流れ下流側でファン軸方向ＤＲａに分離するように配置されている。すなわち、分離板１２３は、複数のブレード１２１の相互間において分離板１２３に対するファン軸方向ＤＲａの一方側に外側空気が流れ且つ分離板１２３に対するファン軸方向ＤＲａの他方側に内側空気が流れるように配置されている。
【００４２】
そして、ファンケーシング１４の仕切板１４３は、矢印Ｆｏで示される外側空気の流れと、矢印Ｆｉで示される内側空気の流れとを、遠心ファン１２に対する空気流れ下流側でファン軸方向ＤＲａに分離するように配置されている。すなわち、仕切板１４３は、遠心ファン１２から第１空気通路１４２ｂに矢印Ｆｏのように外側空気が流れ込み且つ第２空気通路１４２ｃに矢印Ｆｉのように内側空気が流れ込むように配置されている。
【００４３】
要するに、分離板１２３と仕切板１４３はそれぞれ、外側空気と内側空気とが分離筒１８に対する空気流れ下流側で混ざり合うことを抑制するように配置されている。
【００４４】
なお、図１に示すように、分離板１２３と分離筒１８との間、および分離板１２３と仕切板１４３との間にはそれぞれ、相対回転を許容するために隙間がある。従って、詳細には次のように言える。すなわち、複数のブレード１２１の相互間において、分離板１２３に対するファン軸方向ＤＲａの一方側には外側空気の方が内側空気よりも格段に多く流れ、且つ分離板１２３に対するファン軸方向ＤＲａの他方側には内側空気の方が外側空気よりも格段に多く流れる。そして、遠心ファン１２から、第１空気通路１４２ｂには外側空気の方が内側空気よりも格段に多く流れ込み、且つ第２空気通路１４２ｃには内側空気の方が外側空気よりも格段に多く流れ込む。
【００４５】
上流側ケーシング２０は、ファンケーシング１４に対しファン軸方向ＤＲａの一方側に連結された上流側空間形成部２０１と、その上流側空間形成部２０１に対しファン軸方向ＤＲａの一方側に連結されたフィルタ収容部２０４とを有している。この上流側空間形成部２０１とフィルタ収容部２０４は、例えば一体的に構成されている。
【００４６】
図１および図３に示すように、上流側空間形成部２０１は、ファンケーシング１４の吸込口１４ａに対し空気流れ上流側に設けられている。上流側空間形成部２０１の内側には、その吸込口１４ａへ向かう空気が流通する上流側空間２０１ａが形成されている。
【００４７】
上流側空間形成部２０１は、その上流側空間２０１ａを仕切り分ける空間分割部２０２を有している。詳細には、その空間分割部２０２は、外側空気が流通する外側接続空間２０１ｂと、内側空気が流通する内側接続空間２０１ｃとに、上流側空間２０１ａを分割している。
【００４８】
内側接続空間２０１ｃは、上流側空間２０１ａのうち、ファン径方向ＤＲｒのうちの１つの方向である一径方向ＤＲ１において一方側に偏って配置されている。更に、ファン軸方向ＤＲａに着目すると、内側接続空間２０１ｃは、上流側空間２０１ａのうち、ファン軸方向ＤＲａの一方側に偏って配置されている。なお、以下の説明では、一径方向ＤＲ１を径第１方向ＤＲ１と称する場合がある。また、径第１方向ＤＲ１とファン軸方向ＤＲａとに直交する直交方向を径第２方向ＤＲ２と称する。
【００４９】
また、図３および図４に示すように、内側接続空間２０１ｃは、上流側空間形成部２０１内において径第２方向ＤＲ２の全幅にわたって形成されている。
【００５０】
図１および図４に示すように、外側接続空間２０１ｂは、互いにつながった重複空間２０１ｄと非重複空間２０１ｅとを有している。言い換えると、重複空間２０１ｄと非重複空間２０１ｅは、その重複空間２０１ｄと非重複空間２０１ｅとの境目２０１ｆで互いにつながって一つの外側接続空間２０１ｂを構成している。
【００５１】
その重複空間２０１ｄは、外側接続空間２０１ｂのうち、空間分割部２０２に対してファン軸方向ＤＲａの他方側に重なる空間である。そして、非重複空間２０１ｅは、外側接続空間２０１ｂのうち重複空間２０１ｄを除いた空間であって、内側接続空間２０１ｃと重複空間２０１ｄとに対し径第１方向ＤＲ１における他方側に配置された空間である。
【００５２】
また、空間分割部２０２は、非重複空間２０１ｅと内側接続空間２０１ｃとの間に配置された第１隔壁部２０２ａと、重複空間２０１ｄと内側接続空間２０１ｃとの間に配置された第２隔壁部２０２ｂとを有している。その第１隔壁部２０２ａは、非重複空間２０１ｅと内側接続空間２０１ｃとを径第１方向ＤＲ１に隔てている。また、第２隔壁部２０２ｂは、重複空間２０１ｄと内側接続空間２０１ｃとをファン軸方向ＤＲａに隔てている。第１隔壁部２０２ａは、ファン軸方向ＤＲａの一方側に設けられた一端２０２ｃを有している。
【００５３】
また、空間分割部２０２は、内側接続空間２０１ｃに対しファン軸方向ＤＲａの一方側を向いて面する分割部一方面２０２ｄと、重複空間２０１ｄに対しファン軸方向ＤＲａの他方側を向いて面する分割部他方面２０２ｅとを有している。その分割部一方面２０２ｄと分割部他方面２０２ｅは何れも、空間分割部２０２のうち第２隔壁部２０２ｂに含まれる。
【００５４】
ファンケーシング１４の吸込口１４ａは、外側重複部分１４ｂと外側非重複部分１４ｃとを有している。その外側重複部分１４ｂは、吸込口１４ａのうち、空間分割部２０２に対しファン軸方向ＤＲａの他方側に重なり且つファン径方向ＤＲｒにおいて分離筒１８の外側に位置する部分である。そして、外側非重複部分１４ｃは、吸込口１４ａのうち、ファン径方向ＤＲｒにおいて分離筒１８の外側に位置する環状の筒外側部分から外側重複部分１４ｂを除いた部分である。例えば本実施形態では、外側重複部分１４ｂは、吸込口１４ａの筒外側部分のうちの略半分を占めている。
【００５５】
このような吸込口１４ａおよび外側接続空間２０１ｂの構成から、外側接続空間２０１ｂのうちの非重複空間２０１ｅは、吸込口１４ａの外側非重複部分１４ｃに直接接続し、重複空間２０１ｄは、吸込口１４ａの外側重複部分１４ｂに直接接続している。従って、その非重複空間２０１ｅは、吸込口１４ａの外側重複部分１４ｂに重複空間２０１ｄを介して接続している。
【００５６】
図１および図３に示すように、上流側ケーシング２０のフィルタ収容部２０４は、上流側空間形成部２０１に対し空気流れ上流側に設けられている。フィルタ収容部２０４の内側には、通気可能に構成され遠心ファン１２に吸い込まれる空気を濾過するフィルタ２２が収容されている。従って、フィルタ２２は、上流側空間形成部２０１の上流側空間２０１ａに対する空気流れ上流側に配置されている。
【００５７】
また、フィルタ２２は、例えば直方体形状を成しており、フィルタ２２を通過した空気が流出する流出面としてフィルタ下流面２２１を有している。そのフィルタ下流面２２１は、ファン軸方向ＤＲａの他方側に向いている。そして、そのフィルタ下流面２２１は、非重複空間２０１ｅと内側接続空間２０１ｃとにファン軸方向ＤＲａの一方側から面している。
【００５８】
また、フィルタ収容部２０４内において、フィルタ２２に対するファン軸方向ＤＲａの一方側が空気流れ上流側となっており、そのフィルタ２２に対するファン軸方向ＤＲａの一方側には、フィルタ上流空間２０４ａが形成されている。
【００５９】
そのフィルタ上流空間２０４ａには内外気ドア２４が配置されており、その内外気ドア２４はフィルタ上流空間２０４ａ内で回動動作する。また、フィルタ収容部２０４のうちフィルタ上流空間２０４ａに面する部分には、貫通孔として形成された外気流入口２０４ｂと内気流入口２０４ｃとが形成されている。この外気流入口２０４ｂは、外気をフィルタ上流空間２０４ａへ導入するための流入口であり、車室外に連通し、内外気ドア２４の回動中心に対し径第１方向ＤＲ１の他方側に配置されている。また、内気流入口２０４ｃは、内気をフィルタ上流空間２０４ａへ導入するための流入口であり、車室内に連通し、内外気ドア２４の回動中心に対し径第１方向ＤＲ１の一方側に配置されている。
【００６０】
そして、内外気ドア２４は、その内外気ドア２４の回動動作に伴って、外気流入口２０４ｂと内気流入口２０４ｃとを開閉する。例えば、内外気ドア２４は、外気流入口２０４ｂを開放し且つ内気流入口２０４ｃを閉塞する外気導入位置と、外気流入口２０４ｂを閉塞し且つ内気流入口２０４ｃを開放する内気導入位置とに位置決めされる。また、内外気ドア２４は、外気流入口２０４ｂと内気流入口２０４ｃとを何れも開放する内外気導入位置にも位置決めされる。
【００６１】
図１は、内外気ドア２４が内外気導入位置に位置決めされた状態を表している。その内外気導入位置では、内外気ドア２４は、内外気ドア２４のうち回動中心とは反対側のドア先端２４１を、第１隔壁部２０２ａの一端２０２ｃに対しフィルタ２２を挟んでファン軸方向ＤＲａに対向させる。それと共に、内外気ドア２４は、フィルタ上流空間２０４ａを２つの空間に仕切る。その２つの空間のうちの一方は、外気流入口２０４ｂと内気流入口２０４ｃとのうち専ら外気流入口２０４ｂに連通し、その２つの空間のうちの他方は、専ら内気流入口２０４ｃに連通する。
【００６２】
そのため、内外気ドア２４が内外気導入位置に位置決めされた場合には、遠心ファン１２が回転すると、外気が矢印Ｆｏのように流れると共に、内気が矢印Ｆｉのように流れる。すなわち、外気流入口２０４ｂから外気が流入し、その外気の殆どは、フィルタ２２を介して外側接続空間２０１ｂのうち非重複空間２０１ｅへと流れる。それと共に、内気流入口２０４ｃからは内気が流入し、その内気の殆どは、フィルタ２２を介して内側接続空間２０１ｃへと流れる。
【００６３】
そして、非重複空間２０１ｅの外気は、非重複空間２０１ｅから重複空間２０１ｄを介して又は直接に、外側空気として吸込口１４ａへ流れ、複数のブレード１２１の相互間を通ってファンケーシング１４の第１空気通路１４２ｂへと流れる。内側接続空間２０１ｃの内気は、内側接続空間２０１ｃから内側空気として吸込口１４ａへ流れ、複数のブレード１２１の相互間を通ってファンケーシング１４の第２空気通路１４２ｃへと流れる。
【００６４】
このとき、図１に示すように、送風機１０の内部では、内外気ドア２４、空間分割部２０２、分離筒１８、分離板１２３、および仕切板１４３によって、矢印Ｆｏで表される外側空気と矢印Ｆｉで表される内側空気とが分離した状態で流れる。
【００６５】
送風機１０の空気通路形成部１４２は、図示しない車両用空調装置の空調ケーシングに連結されており、送風機１０から吹出された空気は、その空調ケーシング内を流れる。空調ケーシングの内部には、空気温度を調整する温度調整器が配置されている。送風機１０から吹出された空気は、温度調整器によって温度が調整された後、車室内に吹出される。空調ケーシングの内部でも、外側空気の流れと内側空気の流れとが分離された状態は維持される。そして、２つの空気流れはそれぞれ温度調整された後、例えば互いに異なる吹出口から車室内へ吹出される。
【００６６】
また、内外気ドア２４が外気導入位置に位置決めされた場合には、遠心ファン１２が回転すると、フィルタ上流空間２０４ａには外気流入口２０４ｂから外気が流入する。このとき、内気流入口２０４ｃは閉塞されている。フィルタ上流空間２０４ａに流入した空気（具体的には、外気）は、フィルタ２２を介して、内側接続空間２０１ｃと、外側接続空間２０１ｂのうち非重複空間２０１ｅとへそれぞれ流れる。これ以降の空気流れは、上述の内外気ドア２４が内外気導入位置に位置決めされた場合と同様である。
【００６７】
また、内外気ドア２４が内気導入位置に位置決めされた場合には、遠心ファン１２が回転すると、フィルタ上流空間２０４ａには内気流入口２０４ｃから内気が流入する。このとき、外気流入口２０４ｂは閉塞されている。フィルタ上流空間２０４ａに流入した空気（具体的には、内気）は、フィルタ２２を介して、内側接続空間２０１ｃと、外側接続空間２０１ｂのうち非重複空間２０１ｅとへそれぞれ流れる。これ以降の空気流れは、上述の内外気ドア２４が内外気導入位置に位置決めされた場合と同様である。
【００６８】
図５は、送風機１０において、第１面積Ｓ１を第２面積Ｓ２で除した面積比Ｓ１／Ｓ２と、筒外側圧損ΔＰとの関係を示したグラフである。この図５の関係、すなわち、曲線Ｌｐが示す面積比Ｓ１／Ｓ２と筒外側圧損ΔＰとの関係は、内外気ドア２４が内外気導入位置に位置決めされた状態で遠心ファン１２を所定回転数で回転させた送風実験により得られた実験結果を示している。また、その遠心ファン１２の回転数を所定回転数に対し上下に変動させても、図５の曲線Ｌｐが示す傾向に変わりはなかった。
【００６９】
ここで、上記した第１面積Ｓ１は、図３にて破線ハッチングを施した領域の合計面積である。詳細に言えば、破線ハッチングを施した領域は２つに分かれているが、第１面積Ｓ１は、その２つの領域を合計した面積である。すなわち、第１面積Ｓ１は、重複空間２０１ｄと非重複空間２０１ｅとの境目２０１ｆを径第１方向ＤＲ１に投影した投影面積である。詳細に言えば、その第１面積Ｓ１は、径第１方向ＤＲ１を法線方向とした仮想平面に対して上記境目２０１ｆを径第１方向ＤＲ１に投影した投影面積である。その第１面積Ｓ１を示す破線ハッチング領域は、図３に示すように、ファン軸方向ＤＲａでは、ベルマウス１４１の他方端１４１ａの位置にまで及んでいる。
【００７０】
また、第２面積Ｓ２は、図４にて破線ハッチングを施した領域の面積である。すなわち、第２面積Ｓ２は、吸込口１４ａの外側重複部分１４ｂをファン軸方向ＤＲａに投影した投影面積である。詳細に言えば、その第２面積Ｓ２は、ファン軸方向ＤＲａを法線方向とした仮想平面に対して外側重複部分１４ｂをファン軸方向ＤＲａに投影した投影面積である。
【００７１】
また、筒外側圧損ΔＰは、２つの流入口２０４ｂ、２０４ｃのうち非重複空間２０１ｅに接続する流入口における空気の平均気圧Ｐ１ａから、吸込口１４ａのうちの筒外側部分における空気の平均気圧Ｐ２ａを差し引いて得られる圧力差である。要するに、筒外側圧損ΔＰは、「ΔＰ＝Ｐ１ａ−Ｐ２ａ」という式から算出される。具体的に、上記２つの流入口２０４ｂ、２０４ｃのうち非重複空間２０１ｅに接続する流入口は、内外気ドア２４が内外気導入位置に位置決めされた状態であるので、外気流入口２０４ｂである。また、その非重複空間２０１ｅに接続する流入口は、例えば、内外気ドア２４が外気導入位置に位置決めされた状態であれば外気流入口２０４ｂであり、内外気ドア２４が内気導入位置に位置決めされた状態であれば内気流入口２０４ｃである。
【００７２】
図５に示すように、曲線Ｌｐの関係から、「Ｓ１／Ｓ２≧０．５」という関係が成立する場合には筒外側圧損ΔＰが小さく抑えられるということが判る。そのため、本実施形態の送風機１０では、「Ｓ１／Ｓ２≧０．５」という関係が成立している。
【００７３】
なお、図５の実験結果は、内外気ドア２４が内外気導入位置に位置決めされた内外気二層モードで送風機１０が送風した場合のものであるが、内気モードで送風機１０が送風した場合でも、外気モードで送風機１０が送風した場合でも、図５と同様の結果になる。その内気モードとは、内外気ドア２４が内気導入位置に位置決めされた吸込モードであり、外気モードとは、内外気ドア２４が外気導入位置に位置決めされた吸込モードである。
【００７４】
また、図３に示すように、本実施形態の送風機１０では、重複空間２０１ｄと非重複空間２０１ｅとの境目２０１ｆを径第１方向ＤＲ１に投影した境目投影形状において、接続幅Ｌ１は非接続幅Ｌ２よりも小さい。その接続幅Ｌ１は、境目投影形状において、境目２０１ｆのうち吸込口１４ａに接続する接続部分２０１ｇが径第２方向ＤＲ２に占める幅である。また、非接続幅Ｌ２は、境目投影形状が径第２方向ＤＲ２に占める幅Ｌ３から接続幅Ｌ１を差し引いた幅である。
【００７５】
また、境目投影形状は、図３では、破線ハッチングを施した領域の形状として示されている。すなわち、その境目投影形状とは、詳しく言えば、径第１方向ＤＲ１を法線方向とした仮想平面に対して重複空間２０１ｄと非重複空間２０１ｅとの境目２０１ｆを径第１方向ＤＲ１に投影した投影形状である。
【００７６】
なお、図３では、接続幅Ｌ１は２つに分かれて示されているが、接続幅Ｌ１の大きさは、その２つに分かれた幅を合計した大きさになる。このことは、幅Ｌ２、Ｌ３の大きさについても同様である。
【００７７】
図４に示すように、吸込口１４ａおよび上流側空間２０１ａをファン軸方向ＤＲａの一方側から見ると、吸込口１４ａの筒外側部分のうちの略半分を占める外側重複部分１４ｂは、空間分割部２０２によって覆われている。そのため、吸込口１４ａの外側非重複部分１４ｃと比較して外側重複部分１４ｂは、外側空気が流入しにくい状態になっている。
【００７８】
これに対し、「Ｓ１／Ｓ２≧０．５」という関係が成立する。但し、図１、図３、図４に示すように、そのＳ１は、重複空間２０１ｄと非重複空間２０１ｅとの境目２０１ｆを径第１方向ＤＲ１に投影した第１面積であり、Ｓ２は、吸込口１４ａの外側重複部分１４ｂをファン軸方向ＤＲａに投影した第２面積である。
【００７９】
従って、上記外側空気が非重複空間２０１ｅから重複空間２０１ｄを経て吸込口１４ａのうちの外側重複部分１４ｂへ流入する空気流通経路において、外側重複部分１４ｂが有する流路断面積に比して上記境目２０１ｆが有する流路断面積が極端に小さくはならない。すなわち、外側空気が非重複空間２０１ｅから重複空間２０１ｄを経て吸込口１４ａのうちの外側重複部分１４ｂへ流入する際に、その外側空気の空気流れが上記境目２０１ｆであまり絞られなくなる。そのため、非重複空間２０１ｅから重複空間２０１ｄに流入する外側空気は、重複空間２０１ｄのうち非重複空間２０１ｅから離れた部位にまで満遍なく行き渡り易くなり、外側空気を吸い込む役割を外側重複部分１４ｂに適切に発揮させることができる。その結果として、外側空気が吸込口１４ａへ吸い込まれる際の圧損を減らし、その外側空気を円滑に流すことが可能である。
【００８０】
また、上述した図５は、「Ｓ１／Ｓ２≧０．５」という関係が成立することにより、外側空気が吸込口１４ａへ吸い込まれる際の圧損が低減されるということを示している。
【００８１】
このように外側空気が吸込口１４ａへ吸い込まれる際の圧損が低減されると、それに応じて、より多くの外側空気を遠心ファン１２に吸い込ませることが可能である。
【００８２】
ここで、図１に示すように、内外気二層モードにおいては、フィルタ上流空間２０４ａに流入した外気は、矢印Ｆｏのように外側空気として第１空気通路１４２ｂへ流れる。それと同時に、フィルタ上流空間２０４ａに流入した内気は、矢印Ｆｉのように内側空気として第２空気通路１４２ｃへ流れる。本実施形態では、圧損低減によって多くの外気を遠心ファン１２に吸い込ませることが可能であるので、例えば分離筒１８と遠心ファン１２の分離板１２３との隙間等を経て内気が矢印ＬＫのように外気の流通経路に漏れ出ることを抑制することができる。すなわち、内外気二層モードにおいて、第１空気通路１４２ｂに流通する外気に内気が混ざることを抑制することが可能である。
【００８３】
その結果、例えば車両用空調装置のデフロスタモード時において、低湿度の外気に比較的高湿度の内気が混ざることに起因して窓の曇りが取れにくくなるという事態を回避することが可能である。
【００８４】
また、本実施形態によれば、図１および図３に示すように、重複空間２０１ｄと非重複空間２０１ｅとの境目２０１ｆを径第１方向ＤＲ１に投影した境目投影形状において、接続幅Ｌ１は非接続幅Ｌ２よりも小さい。これに関し、接続幅Ｌ１は、境目投影形状において、境目２０１ｆのうち吸込口１４ａに接続する接続部分２０１ｇが径第２方向ＤＲ２に占める幅である。また、非接続幅Ｌ２は、境目投影形状が径第２方向ＤＲ２に占める幅Ｌ３から接続幅Ｌ１を差し引いた幅である。
【００８５】
ここで、上記境目２０１ｆのうち径第２方向ＤＲ２に接続幅Ｌ１を有する領域を通過して非重複空間２０１ｅから重複空間２０１ｄへ流れる外側空気は、上記境目２０１ｆから重複空間２０１ｄに入ると直ちに吸込口１４ａへ吸い込まれる。その一方で、上記境目２０１ｆのうち径第２方向ＤＲ２に非接続幅Ｌ２を有する領域を通過して非重複空間２０１ｅから重複空間２０１ｄへ流れる外側空気は、重複空間２０１ｄのうち非重複空間２０１ｅから離れた部位にまで行き渡りやすい。従って、接続幅Ｌ１と非接続幅Ｌ２との大小関係を上記のように「Ｌ１＜Ｌ２」とすることで、吸込口１４ａの外側重複部分１４ｂに吸い込まれる外側空気が外側非重複部分１４ｃ側へ偏ることを緩和することができる。その結果として、外側空気が吸込口１４ａへ吸い込まれる際の圧損を減らし、その外側空気を円滑に流すことが可能である。
【００８６】
（第２実施形態）
次に、第２実施形態について説明する。本実施形態では、前述の第１実施形態と異なる点を主として説明する。また、前述の実施形態と同一または均等な部分については省略または簡略化して説明する。このことは後述の実施形態の説明においても同様である。
【００８７】
図６に示すように、本実施形態では、空間分割部２０２に含まれる第１隔壁部２０２ａが、第１実施形態のそれと比較して径第１方向ＤＲ１の一方側にずれている。そのため、第２面積Ｓ２と第３面積Ｓ３とについて、「Ｓ３＞Ｓ２」という関係が成立する。
【００８８】
但し、第２面積Ｓ２は、第１実施形態と同様に、吸込口１４ａの外側重複部分１４ｂをファン軸方向ＤＲａに投影した投影面積である。そして、第３面積Ｓ３は、図６にて点ハッチングを施した領域の面積である。すなわち、第３面積Ｓ３は、吸込口１４ａの外側非重複部分１４ｃをファン軸方向ＤＲａに投影した投影面積である。詳細に言えば、その第３面積Ｓ３は、ファン軸方向ＤＲａを法線方向とした仮想平面に対して外側非重複部分１４ｃをファン軸方向ＤＲａに投影した投影面積である。
【００８９】
このように本実施形態によれば、第２面積をＳ２とし、且つ、吸込口１４ａの外側非重複部分１４ｃをファン軸方向ＤＲａに投影した第３面積をＳ３とした場合に、「Ｓ３＞Ｓ２」という関係が成立する。従って、逆に「Ｓ３＜Ｓ２」という関係が成立する場合と比較して、吸込口１４ａの外側重複部分１４ｂおよび外側非重複部分１４ｃのうち、ファン軸方向ＤＲａに見て空間分割部２０２と重ならない外側非重複部分１４ｃが占める割合が大きくなる。
【００９０】
そのため、外側重複部分１４ｂと外側非重複部分１４ｃとの全体を見れば外側空気が吸込口１４ａに流入しやすくなるので、外側空気が吸込口１４ａへ吸い込まれる際の圧損を減らすことができる。
【００９１】
以上説明したことを除き、本実施形態は第１実施形態と同様である。そして、本実施形態では、前述の第１実施形態と共通の構成から奏される効果を第１実施形態と同様に得ることができる。
【００９２】
（第３実施形態）
次に、第３実施形態について説明する。本実施形態では、前述の第１実施形態と異なる点を主として説明する。
【００９３】
図７に示すように、本実施形態では、空間分割部２０２に含まれる第２隔壁部２０２ｂが、第１実施形態のそれと比較してファン軸方向ＤＲａの一方側にずれている。具体的に言うと、ファン軸方向ＤＲａにおけるベルマウス１４１の他方端１４１ａから分割部他方面２０２ｅまでの距離Ｈ２は、ファン軸方向ＤＲａにおけるフィルタ下流面２２１から分割部一方面２０２ｄまでの距離Ｈ１よりも大きい。
【００９４】
従って、ファン軸方向ＤＲａにおける上流側空間２０１ａの限られた高さの中で、非重複空間２０１ｅから重複空間２０１ｄを経て吸込口１４ａの外側重複部分１４ｂへ外側空気を流れやすくすることができる。なお、ファン軸方向ＤＲａにおけるフィルタ下流面２２１から分割部一方面２０２ｄまでの距離Ｈ１が小さくされても、フィルタ２２の端の方において内側空気の流通経路が狭められるに過ぎないので、内側空気の風量には殆ど影響しない。
【００９５】
以上説明したことを除き、本実施形態は第１実施形態と同様である。そして、本実施形態では、前述の第１実施形態と共通の構成から奏される効果を第１実施形態と同様に得ることができる。
【００９６】
なお、本実施形態は第１実施形態に基づいた変形例であるが、本実施形態を前述の第２実施形態と組み合わせることも可能である。
【００９７】
（第４実施形態）
次に、第４実施形態について説明する。本実施形態では、前述の第１実施形態と異なる点を主として説明する。
【００９８】
図８に示すように、本実施形態では、ファン軸心ＣＬに直交する仮想平面で分離筒１８を切断した断面形状、すなわち分離筒１８の横断面形状が、第１実施形態と異なっている。
【００９９】
具体的には、分離筒１８のうち吸込口１４ａを横切る部位１８３（図３参照）にて分離筒１８をファン軸心ＣＬに直交する仮想平面で切断した断面形状は、円形状と比較して径第１方向ＤＲ１に延びた形状を成している。例えば、その断面形状は、径第１方向ＤＲ１を長軸方向とした長円形状である。
【０１００】
これにより、図８の第２面積Ｓ２を維持したまま、図３の第１面積Ｓ１の拡大を図ることが可能である。従って、上流側空間２０１ａがファン軸方向ＤＲａに有する高さに制約がある中で、第２面積Ｓ２に対する第１面積Ｓ１の面積比である「Ｓ１／Ｓ２」を大きくしやすい。
【０１０１】
以上説明したことを除き、本実施形態は第１実施形態と同様である。そして、本実施形態では、前述の第１実施形態と共通の構成から奏される効果を第１実施形態と同様に得ることができる。
【０１０２】
なお、本実施形態は第１実施形態に基づいた変形例であるが、本実施形態を前述の第２実施形態または第３実施形態と組み合わせることも可能である。
【０１０３】
（他の実施形態）
（１）上述の各実施形態では例えば図１に示すように、遠心ファン１２はシロッコファンであるが、これに限らず、例えばターボファンであってもよい。また、ブレード一方側部分１２１ｃの翼型とブレード他方側部分１２１ｄの翼型は互いに同じである必要はなく、それらの翼型は互いに異なっていてもよい。
【０１０４】
（２）上述の各実施形態では、送風機１０は、内外気二層流式の車両用空調装置に適用されるが、その送風機１０の用途は、それに限定されるわけではない。例えば送風機１０は、車両用空調装置以外の用途に用いられても差し支えない。
【０１０５】
（３）上述の各実施形態では図１に示すように、送風機１０はフィルタ２２を有しているが、そのフィルタ２２は必須ではない。
【０１０６】
（４）上述の各実施形態では図１に示すように、フィルタ上流空間２０４ａに設けられている内外気ドア２４は１枚であるが、複数枚あっても差し支えない。
【０１０７】
（５）上述の各実施形態では図１に示すように、内外気ドア２４は平板状の板ドアであるが、そのドア形状に限定はなく、内外気ドア２４は、ロータリドアまたはバタフライドアであってもよい。
【０１０８】
（６）上述の各実施形態では図１に示すように、分離筒１８は、例えば上流側ケーシング２０のうちの空間分割部２０２に固定されているが、ファンケーシング１４に固定されていても差し支えない。
【０１０９】
（７）なお、本発明は、上述の実施形態に限定されることなく、種々変形して実施することができる。また、上記各実施形態は、互いに無関係なものではなく、組み合わせが明らかに不可な場合を除き、適宜組み合わせが可能である。
【０１１０】
また、上記各実施形態において、実施形態を構成する要素は、特に必須であると明示した場合および原理的に明らかに必須であると考えられる場合等を除き、必ずしも必須のものではないことは言うまでもない。
【０１１１】
また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【０１１２】
（まとめ）
上記各実施形態の一部または全部で示された第１の観点によれば、次のとおりである。分離筒は、吸込口を通過してブレードの相互間へ向かう空気を、径方向において分離筒の内側を流れる内側空気と径方向において分離筒の外側を流れる外側空気とに分離しながらブレードの相互間へと案内する。上流側空間形成部は、内側空気が流通する内側接続空間と外側空気が流通する外側接続空間とに上流側空間を分割する空間分割部を有する。内側接続空間は、上流側空間のうち、径方向のうちの１つの方向である一径方向において一方側に偏って配置される。外側接続空間は、空間分割部に対し軸方向の一方側とは反対側の他方側に重なる重複空間と、外側接続空間のうち重複空間を除いた空間であって内側接続空間と重複空間とに対し上記一径方向における一方側とは反対側の他方側に配置された非重複空間とを有する。そして、重複空間と非重複空間との境目を上記一径方向に投影した第１面積をＳ１とし、且つ、吸込口の外側重複部分を軸方向に投影した第２面積をＳ２とした場合に、「Ｓ１／Ｓ２≧０．５」という関係が成立する。
【０１１３】
また、第２の観点によれば、次のとおりである。上記境目を上記一径方向に投影した投影形状において、上記境目のうち吸込口に接続する接続部分が上記一径方向と軸方向とに直交する直交方向に占める接続幅は、その投影形状が上記直交方向に占める幅から接続幅を差し引いた非接続幅よりも小さい。
【０１１４】
また、第３の観点は、この第２の観点と同様である。
【０１１５】
また、第４の観点によれば、第２面積をＳ２とし、且つ、吸込口の外側非重複部分を軸方向に投影した第３面積をＳ３とした場合に、「Ｓ３＞Ｓ２」という関係が成立する。従って、逆に「Ｓ３＜Ｓ２」という関係が成立する場合と比較して、吸込口の外側重複部分および外側非重複部分のうち、軸方向に見て空間分割部と重ならない外側非重複部分が占める割合が大きくなる。そのため、外側重複部分と外側非重複部分との全体を見れば外側空気が吸込口に流入しやすくなるので、外側空気が吸込口へ吸い込まれる際の圧損を減らすことができる。
【０１１６】
また、第５の観点は、この第４の観点と同様である。
【０１１７】
また、第６の観点によれば、フィルタは、上流側空間に対する空気流れ上流側に配置される。そして、フィルタは、非重複空間と内側接続空間とに軸方向の一方側から面するフィルタ下流面を有する。空間分割部は、内側接続空間に対し軸方向の一方側を向いて面する分割部一方面と、重複空間に対し軸方向の他方側を向いて面する分割部他方面とを有する。ファンケーシングは、吸込口を取り囲みその吸込口を内側に形成する吸込口周縁部を有する。吸込口周縁部は、軸方向の他方側に他方端を有する。更に、軸方向における吸込口周縁部の他方端から分割部他方面までの距離は、軸方向におけるフィルタ下流面から分割部一方面までの距離よりも大きい。従って、軸方向における上流側空間の限られた高さの中で、非重複空間から重複空間を経て吸込口の外側重複部分へ外側空気を流れやすくすることができる。なお、軸方向におけるフィルタ下流面から分割部一方面までの距離が小さくされても、フィルタの端の方において内側空気の流通経路が狭められるの過ぎないので、内側空気の風量には殆ど影響しない。
【０１１８】
また、第７の観点によれば、分離筒のうち吸込口を横切る部位にてその分離筒をファン軸心に直交する仮想平面で切断した断面形状は、円形状と比較して上記一径方向に延びた形状を成している。これにより、上記第２面積を維持したまま、上記第１面積の拡大を図ることが可能である。従って、上流側空間が軸方向に有する高さに制約がある中で、上記した面積比である「Ｓ１／Ｓ２」を大きくしやすい。
【符号の説明】
【０１１９】
１４        ファンケーシング
１４ａ      吸込口
１８        分離筒
１２１      ブレード
２０１      上流側空間形成部
２０１ｂ    外側接続空間
２０１ｃ    内側接続空間
２０１ｄ    重複空間
２０１ｅ    非重複空間
２０２      空間分割部
【図１】
2020109286.tif 000003
【図２】
2020109286.tif 000004
【図３】
2020109286.tif 000005
【図４】
2020109286.tif 000006
【図５】
2020109286.tif 000007
【図６】
2020109286.tif 000008
【図７】
2020109286.tif 000009
【図８】
2020109286.tif 000010